(57)【要約】【課題】指定番号を印字したレシートを発行するフリーボックスなどのロッカー装置において、取り出し操作の盗撮や盗み見により発生する盗難を防止する。【解決手段】預け入れ操作時に、制御ユニット（１０）がプリンタ（１２）で発行するレシートに複数の指定番号を印字する。指定番号には対応する記号（識別記号）を印字する。取り出し操作時に、制御ユニット（１０）は、入力された暗証番号が照合した上で、操作表示部（１１）の表示により、レシートに印字した複数の記号のうちの何れか一つを提示する。利用者は提示された記号に対応する指定番号を入力する。これにより錠装置（２１）を解錠する。レシートの再発行処理を利用者が選択できるようにしてもよい。【選択図】図４
2014189957.tif 000002
【特許請求の範囲】
【請求項１】
複数のロッカーボックスと、該ロッカーボックスに対応して登録された暗証番号と該暗証番号に対応付けた指定番号とについて、入力された番号をそれぞれ照合して該ロッカーボックスを解錠制御する制御手段とを備えたロッカー装置において、
前記制御手段は、
前記ロッカーボックスへの物品の預け入れ操作時に、複数の前記指定番号を印字したレシートを発行し、
該ロッカーボックスからの物品の取り出し操作時に、前記レシートに印字されている複数の指定番号のうちの一つの指定番号を入力指示するようにしたことを特徴とするロッカー装置。
【請求項２】
前記レシートに前記複数の指定番号の各々に対応つけた識別記号を印字し、前記取り出し操作時に、該識別記号を提示することにより、前記複数の指定番号のうちの一つの指定番号を指示するようにしたことを特徴とする請求項１に記載のロッカー装置。
【請求項３】
前記取り出し操作時に、前記レシートの再発行処理を選択できるようにしたことを特徴とする請求項１または２に記載のロッカー装置。
【発明の詳細な説明】
【技術分野】
【０００１】
本発明は、ゴルフ場、スポーツジム、ホテルあるいは病院等の各種の施設で利用者が利用する貴重品ボックスあるいはロッカー等のロッカー装置に係わり、特に一日単位などの一定期間は何度でも利用できるようなロッカー装置に関する。
【背景技術】
【０００２】
従来、この種のロッカー装置として、例えば特開２００６−２１９９２１号広報（特許文献１）に開示されたものがある。この特許文献１には、例えば１日に何度もロッカーを利用できる機能や、１日に何人もの利用者が同じロッカーを利用する機能すなわち利用者が１回利用可能な機能が開示されている。また、暗証番号を照合して解錠制御を行う技術が開示されている。
【０００３】
この特許文献１の貴重品ボックス等は「フリーボックス」と称され、このようなフリーボックスでは、全体を一括して集中制御する操作部（制御部）にて複数のボックスを管理する構成になっている。そして、例えば１日に何度も利用できるモード（「ワンディ」という。）か、一回だけ利用できるモード（「ワンタイム」という。）の何れかに設定することができる。
【０００４】
また、このようなフリーボックスにおいて、物品の保管／取り出しの操作を行う際に利用者が設定した暗証番号と機器側（フリーボックス側）が設定した指定番号とをそれぞれ照合するようにしたものが知られている。例えば保管操作時に、利用者は利用者を識別するＩＤコードとして例えば４桁の暗証番号を機器に登録し、機器側（フリーボックス側）は固有の指定番号を発行し、この指定番号を印字したレシートを発行する。そして、取り出し時には、利用者がフリーボックスの操作部にて暗証番号の入力と、レシートに印字されている指定番号の入力とを行い、機器側で照合して解錠制御が行われる。
【先行技術文献】
【特許文献】
【０００５】
【特許文献１】特開２００６−２１９９２１号広報
【発明の概要】
【発明が解決しようとする課題】
【０００６】
従来のフリーボックスでは、暗証番号と指定番号の入力操作時に、操作部が盗撮されたり、入力動作を盗み見られて暗証番号と指定番号が第三者に知れてしまう恐れがあった。特に、前記「ワンディ」のモードのように、何度でも取り出し操作（暗証番号と指定番号の入力操作）を行う場合には上記の問題がさらに発生し易くなる。
【０００７】
本発明は、機器側が指定番号を印字したレシートを発行するフリーボックスなどのロッカー装置において、取り出し操作の盗撮や盗み見により発生する盗難を防止できるようにすることを課題とする。
【課題を解決するための手段】
【０００８】
請求項１のロッカー装置は、複数のロッカーボックスと、該ロッカーボックスに対応して登録された暗証番号と該暗証番号に対応付けた指定番号とについて、入力された番号をそれぞれ照合して該ロッカーボックスを解錠制御する制御手段とを備えたロッカー装置において、前記制御手段は、前記ロッカーボックスへの物品の預け入れ操作時に、複数の前記指定番号を印字したレシートを発行し、該ロッカーボックスからの物品の取り出し操作時に、前記レシートに印字されている複数の指定番号のうちの一つの指定番号を入力指示するようにしたことを特徴とする。
【０００９】
請求項２のロッカー装置は、請求項１に記載のロッカー装置であって、前記レシートに前記複数の指定番号の各々に対応つけた識別記号を印字し、前記取り出し操作時に、該識別記号を提示することにより、前記複数の指定番号のうちの一つの指定番号を指示するようにしたことを特徴とする。
【００１０】
請求項３のロッカー装置は請求項１または２に記載のロッカー装置であって、前記取り出し操作時に、前記レシートの再発行処理を選択できるようにしたことを特徴とする。
【発明の効果】
【００１１】
請求項１のロッカー装置によれば、預け入れ操作時に発行されたレシートには複数の指定番号が印字されており、取り出し操作時に制御手段によりこの複数の指定番号の内の何れかが入力指示されるので、その入力指示にしたがって、暗証番号の入力と指示された指定番号を入力しなければロッカーボックスを解錠することができない。したがって、前回の取り出し操作時に暗証番号と指定番号を第三者に見られたとしても、次の取り出し操作時のその第三者は、レシートを持っていないので、指示された指定番号が判らず、ボックスを解錠することができない。したがって、取り出し操作の盗撮や盗み見により発生する盗難を防止することができる。
【００１２】
請求項２のロッカー装置によれば、請求項１の効果に加えて、制御手段から指示される指定番号は、レシートの提示された識別記号を見ればよいので、利用者が判断し易くなる。
【００１３】
請求項３のロッカー装置によれば、請求項１または２の効果に加えて、ロッカーボックスの利用の途中で、例えばレシートの内容を第三者に知られた場合など、再度レシートの発行を行えばよいので、盗難の発生を未然に防ぐことができる。
【図面の簡単な説明】
【００１４】
【図１】本発明の実施形態のロッカー装置の外観正面図である。
【図２】実施形態のロッカー装置の要部ブロック図である。
【図３】実施形態における制御ユニットのブロック図である。
【図４】実施形態におけるレシートの一例を示す図である。
【図５】実施形態における操作表示部の表示例を示す図である。
【図６】実施形態における制御動作のフローチャートである。
【発明を実施するための形態】
【００１５】
次に、本発明のロッカー装置の実施形態を図面を参照して説明する。図１は本発明の実施形態のロッカー装置（フリーボックス）の外観正面図である。このロッカー装置は、中央の操作部１とその周囲に複数のロッカーボックス２を配置したものである。
【００１６】
操作部１には、制御手段としての制御ユニット１０、操作表示部１１、使用してるロッカーボックスの扉番号や指定番号等を記したレシートを発行するためのプリンタ１２、音声ガイダンスを行うためのスピーカ１３を備えている。また、各ロッカーボックス２は、ロッカー扉の内部に制御ユニット１０からの制御信号に基づいてロッカーボックス２を施解錠する錠装置２１を備えている。なお、ロッカー扉には扉番号を記した銘板２ａと、使用中／空き状態を表示するためのＬＥＤが配設されている。
【００１７】
図２は実施形態のロッカー装置の要部ブロック図である。制御ユニット１０には、前記の操作表示部１１、プリンタ１２、スピーカ１３、各ロッカーボックス２の錠装置２１がそれぞれ接続されている。なお、操作表示部１１は、ＬＣＤ表示器とタッチパネルで構成されており、この操作表示部１１の操作により、扉番号、暗証番号、指定番号等を入力するとともに、各状態における操作指示等の案内表示をこの操作表示部１１に表示する。なお、錠装置２１は図示しない扉開閉スイッチを備えており、制御ユニット１０は各ロッカーボックス２の扉の開閉状態を検出することができる。
【００１８】
制御ユニット１０は図３のブロック図に示すようにマイクロコンピュータで構成されており、処理プログラムに従って各種の処理を行うＣＰＵ１０ａ、ＣＰＵ１０ａが行う処理のプログラムなどを格納したＲＯＭ１０ｂと、処理過程で利用するワークエリアや各種データを格納するデータ記憶エリアなどを有するＲＡＭ１０ｃ、設定データ等を記憶するＥＥＰＲＯＭ１０ｄ及びインターフェース部１０ｅを備えている。そして、これらの各要素はバスラインによって接続されている。なお、操作表示部１１、プリンタ１２、スピーカ１３、錠装置２１はこのインターフェース部１０ｅに接続されている。
【００１９】
この実施形態では、以下のような処理及びレシートの発行を行う。利用者が利用開始するとき、まず、扉番号入力画面の操作で利用したいロッカーボックス（空きボックス）の扉番号を入力する。次に、暗証番号入力画面で利用者が決めた暗証番号を入力し、利用者固有のＩＤコードとして暗証番号を登録する。制御ユニットは、その扉番号に対して、他の扉番号のものとは異なる複数の指定番号を決定する。そして、決定した複数の指定番号の各々に対して識別記号をそれぞれ割り振る。また、扉番号に対して、利用者の登録した暗証番号と複数の指定番号とを対応付けて記憶しておく。また、指定番号には識別記号を対応付けて記憶しておく。そして、制御ユニットは、扉番号、指定番号、識別記号等を印字したレシートをプリンタ１２で発行する。
【００２０】
図４は、利用者がロッカーボックスの利用開示時に発行されるレシートの一例を示す図である。この実施形態におけるレシートには、扉番号、複数の指定番号、各指定番号に対応する識別記号、利用日時、利用時刻、注意事項等が印字されている。この実施形態では、４つの指定番号（例えば１９４，７２５，６１９，２７１）が印字され、各指定番号の前に各指定番号に対応する４つの識別記号（例えばＡ，Ｂ，Ｃ，Ｄ）が印字されている。４つの指定番号と４つの識別記号は表組みにて表記され、これにより識別記号と指定番号とが対応付けて表記されている。なお、暗証番号は＊印によりその桁数だけを表記している。
【００２１】
図５は制御ユニット１０のＣＰＵ１０ａにおける制御処理の要部フローチャート、図６は実施形態における操作表示部１１の表示例を示す図である。図５の処理では、まず、ステップＳ１で、図６(A) に示す初期画面を表示する。初期画面では、「預け入れ」のボタンと「取り出し」のボタンが表示される。次に、ステップＳ２で「預け入れ」または「取り出し」の何れのボタンが押されたかを判断し、「預け入れ」のボタンの場合はステップＳ３以降の預け入れ処理を行い、「取り出し」のボタンの場合はステップＳ１７以降の取り出し処理を行う。
【００２２】
ステップＳ３では、図６(B) に示す扉番号入力画面を表示するとともに、スピーカ１３による音声ガイダンスを行って扉番号の入力を促す。扉番号入力画面ではテンキーのボタンと、「中止」のボタンと、「訂正」のボタンと、「確認」のボタンが表示される。次に、ステップＳ４で利用者による番号の入力を受け付ける番号入力の処理を行うとともに、「確認」のボタンが押されたかを判断し、「確認」のボタンが押されると、ステップＳ５に進む。ステップＳ５では、入力された扉番号が未使用中のロッカーボックスの扉番号であるかを判断し、未使用中の扉番号でなければステップＳ３に戻る。未使用中の扉番号であれば、ステップＳ６に進む。
【００２３】
ステップＳ６では、図６(C)  に示す暗証番号入力画面を表示するとともに、スピーカ１３による音声ガイダンスを行って暗証番号の入力を促す。暗証番号入力画面ではテンキーのボタンと、「中止」のボタンと、「訂正」のボタンと、「確認」のボタンが表示される。次に、ステップＳ７で利用者による番号の入力を受け付ける番号入力の処理を行うとともに、「確認」のボタンが押されたかを判断し、「確認」のボタンが押されると、ステップＳ８に進む。ステップＳ８では、入力された暗証番号が使用可能な番号であるかを判断し、使用可能な番号でなければステップＳ６に戻る。使用可能な番号であれば、ステップＳ９に進む。
【００２４】
ステップＳ９では、入力された扉番号のロッカーボックス２の錠装置２１を解錠（ロック解錠）し、図６(D) に示す表示を行うとともに、スピーカ１３による音声ガイダンスを行って物品を入れて扉を閉めるように促す。そして、ステップＳ１０で扉開の動作を監視する。扉開状態検出されると、ステップＳ１１でその錠装置２１を施錠（ロック施錠）する。次に、ステップＳ１２で扉閉となるかを判定し、扉閉とならなければ、ステップＳ１３で一定時間扉開状態が継続したかを判定し、一定時間継続していなければステップＳ１２に戻る。一定時間扉開状態が継続したら、ステップＳ１４でエラー表示を行うとともにエラー処理を行い、ステップＳ１に戻る。ステップＳ１２で扉閉状態が検出されたら、ステップＳ１５で、他の扉番号の指定番号と異なる複数の指定番号を決定するとともに、プリンタ１２で、決定した複数の指定番号と各指定番号に対応付けた識別記号とを印字し、レシート（図４参照）を発行する。そして、ステップＳ１６で図６(E) の表示を行うとともに、預け入れ完了の音声ガイダンスを行い、ステップＳ１に戻る。
【００２５】
初期画面で「取り出し」のボタンが押された場合は、ステップＳ１７で、図６(F) に示す扉番号入力画面を表示するとともに、スピーカ１３による音声ガイダンスを行って扉番号の入力を促す。扉番号入力画面ではテンキーのボタンと、「中止」のボタンと、「訂正」のボタンと、「確認」のボタンが表示される。次に、ステップＳ１８で利用者による番号の入力を受け付ける番号入力の処理を行うとともに、「確認」のボタンが押されたかを判断し、「確認」のボタンが押されると、ステップＳ１９に進む。ステップＳ１９は、入力された扉番号が使用中のロッカーボックスの扉番号であるかを判断し、使用中の扉番号でなければステップＳ１７戻る。使用中の扉番号であれば、ステップＳ２０に進む。
【００２６】
ステップＳ２０では、図６(G) に示す暗証番号入力画面を表示するとともに、スピーカ１３による音声ガイダンスを行って暗証番号の入力を促す。暗証番号入力画面ではテンキーのボタンと、「中止」のボタンと、「訂正」のボタンと、「確認」のボタンが表示される。次に、ステップＳ２１で利用者による番号の入力を受け付ける番号入力の処理を行いステップＳ２２に進む。ステップＳ２２では、入力された番号が当該ロッカーボックスに登録された暗証番号と一致するかを判定し、一致しなければステップＳ２０に戻り、一致すればステップＳ２３に進む。
【００２７】
ステップＳ２３では、図６(H) に示す指定番号入力画面を表示するとともに、スピーカ１３による音声ガイダンスを行って指定番号の入力を促す。指定番号入力画面では、前記同様テンキー、「中止」、「訂正」、「確認」の各ボタンを表示するとともに、レシートの識別記号を提示して、その記号に対応する指定番号の入力を促す。図６(H) では『レシートの記号「Ａ」の指定番号を入力して下さい』と表示されている。この提示する識別記号は、このステップＳ２３の処理を繰り返す毎に前回提示したものとは異なる識別記号とする。
【００２８】
次に、ステップＳ２４で利用者による指定番号の入力を受け付ける番号入力の処理を行い、ステップＳ２５で、入力された番号が当該ロッカーボックスに登録された指定番号で、且つ提示した識別記号に対応する指定番号と一致するかを判定する。一致しなければステップＳ２３に戻り、一致すればステップＳ２６に進む。
【００２９】
ステップＳ２６では、図６(I) に示すレシート再発行選択画面を表示するとともに、スピーカ１３による音声ガイダンスを行ってレシートを発行するかしないかの選択を促す。レシート再発行選択画面では、「再発行する」のボタンと「再発行しない」のボタンが表示される。次に、ステップＳ２７で「再発行する」または「再発行しない」の何れのボタンが押されたかを判断し、再発行しない場合は、ステップＳ２９に進み、再発行する場合は、ステップＳ２８で、新たな複数の指定番号を決定するとともに、プリンタ１２で、決定した複数の指定番号と各指定番号に対応付けた識別記号とを印字し、レシートを発行する。
【００３０】
次に、ステップＳ２９で、錠装置２１を解錠（ロック解錠）し、図６(J) に示す表示を行うとともに、スピーカ１３による音声ガイダンスを行って物品を取り出して扉を閉めるように促す。そして、ステップＳ３０で扉開の動作を監視する。扉開状態検出されると、ステップＳ３１でその錠装置２１を施錠（ロック施錠）する。次に、ステップＳ３２で扉閉となるかを判定し、扉閉とならなければ、ステップＳ１３で一定時間扉開状態が継続したかを判定し、一定時間継続していなければステップＳ３２に戻る。一定時間扉開状態が継続したら、ステップＳ３４でエラー表示を行うとともにエラー処理を行い、ステップＳ１に戻る。ステップＳ３２で扉開状態が検出されれた、ステップＳ３５で、図６(E) の表示を行うとともに、取り出し完了の音声ガイダンスを行い、ステップＳ１に戻る。
【００３１】
以上の実施形態では、識別記号がアルファベットである場合を例に説明したが、識別記号は、ひらがな、カタカナ、その他の文字、その他のマークなど、レシートの複数の指定番号を個々に区別するものであればよい。
【００３２】
また、以上の実施形態では、レシートの複数の指定番号の内の一つを指定するために、レシートの指定番号に対応つけて識別記号をも印字し、取り出し操作時に、ロッカー装置側から識別記号を表示して提示することにより、利用者にレシート中の一つの指定番号を指示するようにしているが、利用者にレシート中の一つの指定番号を指示する手段としては、例えば、「レシート中の上から３番目の指定番号です」のように、レシート中の印字順番等を表示して提示するようにしてもよい。
【００３３】
また、実施形態では、レシートの再発行を利用者が選択できる機能を付加しているが、例えば、一枚のレシート中の指定番号を複数の解錠操作で、使い切った場合に、新たな指定番号の決定と新たなレシートの発行を自動的に行うようにしてもよい。
【符号の説明】
【００３４】
１      操作部
１１    操作表示部
１２    プリンタ
１３    スピーカ
２      ロッカーボックス
２１    錠装置
１０    制御ユニット
【図１】
2014189957.tif 000003
【図２】
2014189957.tif 000004
【図３】
2014189957.tif 000005
【図４】
2014189957.tif 000006
【図５】
2014189957.tif 000007
【図６】
2014189957.tif 000008